(57)【要約】【課題】  分析結果の信頼性を向上し得る成分分析装置を提案する。【解決手段】  成分分析装置６は、スペクトル取得部７１と、成分識別部７３とを備えている。スペクトル取得部７１は、ラマン散乱光における波長ごとの強度分布を示すラマンスペクトルを取得する。成分識別部７３は、スペクトル取得部７１で取得されるラマンスペクトルに基づいて、血液又は間質液に含まれる複数種類の糖成分を探索して識別する。複数種類の糖成分として、例えば単糖類、二糖類及び三糖類がある。また、血液又は間質液に含まれる複数種類の糖成分を探索するとともに尿素成分、薬剤成分あるいはアスコルビン酸成分を探索して識別するようにしても良い。【選択図】    図２
2017173313.tif 000002
【特許請求の範囲】
【請求項１】
ラマン散乱光における波長ごとの強度分布を示すラマンスペクトルを取得するスペクトル取得部と、
前記スペクトル取得部で取得されるラマンスペクトルに基づいて、血液又は間質液に含まれる複数種類の糖成分を探索して識別する成分識別部と
を備えることを特徴とする成分分析装置。
【請求項２】
前記成分識別部は、単糖類、二糖類及び三糖類の糖成分を探索して識別する
ことを特徴とする請求項１に記載の成分分析装置。
【請求項３】
前記成分識別部は、前記血液又は前記間質液に含まれる複数種類の糖成分を探索するとともに前記血液又は前記間質液に含まれる尿素成分を探索して識別する
ことを特徴とする請求項１に記載の成分分析装置。
【請求項４】
前記成分識別部は、前記血液又は前記間質液に含まれる複数種類の糖成分を探索するとともに前記血液又は前記間質液に含まれる薬剤成分を探索して識別する
ことを特徴とする請求項１に記載の成分分析装置。
【請求項５】
前記成分識別部は、前記血液又は前記間質液に含まれる複数種類の糖成分を探索するとともに前記血液又は前記間質液に含まれるアスコルビン酸成分を探索して識別する
ことを特徴とする請求項１に記載の成分分析装置。
【請求項６】
前記スペクトル取得部で取得されるラマンスペクトルから前記血液又は前記間質液に含まれる成分に対応するピークが検出された場合に、前記ピークの強度に基づいて濃度を求める定量部をさらに備える
ことを特徴とする請求項１〜請求項５いずれか１項に記載の成分分析装置。
【請求項７】
前記血液又は前記間質液に含まれる薬剤成分の濃度が規定値以上である場合には血液中又は間質液中に薬剤成分があることを通知する通知部をさらに備える
ことを特徴とする請求項６に記載の成分分析装置。
【請求項８】
ラマン散乱光における波長ごとの強度分布を示すラマンスペクトルを取得するスペクトル取得部と、
血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部と
を備え、
前記血液又は前記間質液にグルコース成分が含まれている場合に前記ラマンスペクトルに出現するピークの中心波数として、９０４ｃｍ−１が設定される
ことを特徴とする成分分析装置。
【請求項９】
ラマン散乱光における波長ごとの強度分布を示すラマンスペクトルを取得するスペクトル取得部と、
血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部と
を備え、
前記血液又は前記間質液にフルクトース成分が含まれている場合に前記ラマンスペクトルに出現するピークの中心波数として、６２０ｃｍ−１及び２９４０ｃｍ−１が設定される
ことを特徴とする成分分析装置。
【請求項１０】
ラマン散乱光における波長ごとの強度分布を示すラマンスペクトルを取得するスペクトル取得部と、
血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部と
を備え、
前記血液又は前記間質液にマルトース成分が含まれている場合に前記ラマンスペクトルに出現するピークの中心波数として、５４６ｃｍ−１及び２８９８ｃｍ−１が設定される
ことを特徴とする成分分析装置。
【請求項１１】
ラマン散乱光における波長ごとの強度分布を示すラマンスペクトルを取得するスペクトル取得部と、
血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部と
を備え、
前記血液又は前記間質液にマルトトリオース成分が含まれている場合に前記ラマンスペクトルに出現するピークの中心波数として、４７０ｃｍ−１及び９２２ｃｍ−１が設定される
ことを特徴とする成分分析装置。
【請求項１２】
ラマン散乱光における波長ごとの強度分布を示すラマンスペクトルを取得するスペクトル取得部と、
血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部と
を備え、
前記血液又は前記間質液に尿素成分が含まれている場合に前記ラマンスペクトルに出現するピークの中心波数として、１００２ｃｍ−１が設定される
ことを特徴とする成分分析装置。
【請求項１３】
ラマン散乱光における波長ごとの強度分布を示すラマンスペクトルを取得するスペクトル取得部と、
血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部と
を備え、
前記血液又は前記間質液にアセチルサリチル酸成分が含まれている場合に前記ラマンスペクトルに出現するピークの中心波数として、８０４ｃｍ−１、１０３２ｃｍ−１、１１５２ｃｍ−１及び１１９８ｃｍ−１が設定される
ことを特徴とする成分分析装置。
【請求項１４】
ラマン散乱光における波長ごとの強度分布を示すラマンスペクトルを取得するスペクトル取得部と、
血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部と
を備え、
前記血液又は前記間質液にアセトアミノフェン成分が含まれている場合に前記ラマンスペクトルに出現するピークの中心波数として、８５４ｃｍ−１及び１３２４ｃｍ−１が設定される
ことを特徴とする成分分析装置。
【請求項１５】
ラマン散乱光における波長ごとの強度分布を示すラマンスペクトルを取得するスペクトル取得部と、
血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部と
を備え、
前記血液又は前記間質液にアスコルビン酸が含まれている場合に前記ラマンスペクトルに出現するピークの中心波数として、８２０ｃｍ−１及び１６８２ｃｍ−１が設定される
ことを特徴とする成分分析装置。
【発明の詳細な説明】
【技術分野】
【０００１】
本発明は成分分析装置に関し、血液中の成分を分析する場合に好適なものである。
【背景技術】
【０００２】
血液中の成分分析に関して、例えば、眼球の角膜に対して可視光から近赤外領域の単色化された又は単一波長の励起光ビームを照射し、当該角膜から得られるラマン散乱スペクトルに基づいて眼内血糖を分析する分析装置が提案されている（下記特許文献１参照）。
【０００３】
下記特許文献１によれば、励起波長からのシフト波数にして420〜1500ｃｍ-1又は2850〜3000ｃｍ-1、好ましくは420〜450ｃｍ-1，460〜550ｃｍ-1，750〜800ｃｍ-1，850〜940ｃｍ-1，1000〜1090ｃｍ-1，1090〜1170ｃｍ-1，1200〜1300ｃｍ-1，1300〜1390ｃｍ-1，1400〜1500ｃｍ-1又は2850〜3000ｃｍ-1にあるラマン散乱ピークを用いてグルコースが定量可能と記載されている。
【０００４】
また、励起波長からのシフト波数にして550〜1500ｃｍ-1又は2900〜3050ｃｍ-1、好ましくは550〜620ｃｍ-1，650〜700ｃｍ-1，780〜870ｃｍ-1，900〜980ｃｍ-1，1000〜1150ｃｍ-1，1200〜1300ｃｍ-1，1400〜1480ｃｍ-1又は2900〜3050ｃｍ-1にあるラマン散乱ピークを用いて、グルコース以外の糖類であるフルクトースが定量可能であると記載されている。
【先行技術文献】
【特許文献】
【０００５】
【特許文献１】特開平９−１２２０７５号公報
【発明の概要】
【発明が解決しようとする課題】
【０００６】
しかしながら、上記特許文献１の分析装置では、グルコースの定量に用いられるラマン散乱ピークと、フルクトースの定量に用いられるラマン散乱ピークとで数値が重なっている部分がある。このため、上記特許文献１の分析装置では、定量された血液成分が真に定量すべき成分を示しているかが疑問であり、当該分析結果の信頼性が欠けると考えられる。
【０００７】
そこで、本発明は、分析結果の信頼性を向上し得る成分分析装置を提案する。
【課題を解決するための手段】
【０００８】
本発明の成分分析装置は、ラマン散乱光における波長ごとの強度分布を示すラマンスペクトルを取得するスペクトル取得部と、前記スペクトル取得部で取得されるラマンスペクトルに基づいて、血液又は間質液に含まれる複数種類の糖成分を探索して識別する成分識別部とを備えることを特徴とする。
【０００９】
このような成分分析装置によれば、糖尿病などの疾患の発見や治療における重要な指標の１つである血液又は間質液に含まれる糖成分を細分して定量することが可能となり、複数種類の糖成分を大局的に捉える場合に比べてより詳細な情報を与えることができる。
【００１０】
なお、前記成分識別部は、単糖類、二糖類及び三糖類の糖成分を探索して識別することが好ましい。
【００１１】
このようにした場合、糖類の構造上近似する種類を細分してより局所的に定量することが可能となり、その分だけ詳細な情報を与えることができる。
【００１２】
また、前記成分識別部は、前記血液又は前記間質液に含まれる複数種類の糖成分を探索するとともに前記血液又は前記間質液に含まれる尿素成分を探索して識別することが好ましい。
【００１３】
このようにした場合、糖尿病の予防、早期発見、治療と同時に、その糖尿病と合併し易い腎疾患の予防、早期発見、治療に重要な指標を与えることができる。
【００１４】
また、前記成分識別部は、前記血液又は前記間質液に含まれる複数種類の糖成分を探索するとともに前記血液又は前記間質液に含まれる薬剤成分を探索して識別することが好ましい。
【００１５】
このようにした場合、血液又は間質液中の糖成分に影響を与える可能性を有する薬剤成分を糖成分とともに定量することが可能となる。したがって、血液又は間質液に含まれる糖成分が正常範囲内にない場合にその要因が薬剤成分であるか否かを判断する指標を与えることができる。
【００１６】
また、前記成分識別部は、前記血液又は前記間質液に含まれる複数種類の糖成分を探索するとともに前記血液又は前記間質液に含まれるアスコルビン酸成分を探索して識別することが好ましい。
【００１７】
このようにした場合、糖尿病に起因するアスコルビン酸不足の有無を情報として与えることができる。したがって、糖尿病の予防、早期発見、治療に重要な指標をより詳しく与えることができる。
【００１８】
また、前記スペクトル取得部で取得されるラマンスペクトルから前記血液又は前記間質液に含まれる成分に対応するピークが検出された場合に、前記ピークの強度に基づいて濃度を求める定量部をさらに備えることとしても良い。
【００１９】
また、前記血液又は前記間質液に含まれる薬剤成分の濃度が規定値以上である場合には血液又は前記間質液中に薬剤成分があることを通知する通知部をさらに備えることが好ましい。
【００２０】
このようにした場合、血液又は間質液に含まれる糖成分の濃度が正常範囲内にない場合にその要因が薬剤成分であるか否かを判断する契機を与えることができる。
【００２１】
また本発明の成分分析装置は、ラマン散乱光における波長ごとの強度分布を示すラマンスペクトルを取得するスペクトル取得部と、血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部とを備え、前記血液又は前記間質液にグルコース成分が含まれている場合に前記ラマンスペクトルに出現するピークの中心波数として、９０４ｃｍ−１が設定されることを特徴とする。
【００２２】
グルコース成分が血液又は間質液中に含まれている場合、ラマンスペクトルの９０４ｃｍ−１で正確にピークが出現しその再現性もあることが実験により確認されている。したがって、血液又は間質液中のグルコース成分をピンポイントで捉えて正確に定量することが可能となる。
【００２３】
また本発明の成分分析装置は、ラマン散乱光における波長ごとの強度分布を示すラマンスペクトルを取得するスペクトル取得部と、血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部とを備え、前記血液又は前記間質液にフルクトース成分が含まれている場合に前記ラマンスペクトルに出現するピークの中心波数として、６２０ｃｍ−１及び２９４０ｃｍ−１が設定されることを特徴とする。
【００２４】
フルクトース成分が血液又は間質液中に含まれている場合、ラマンスペクトルの６２０ｃｍ−１及び２９４０ｃｍ−１で正確にピークが出現しその再現性もあることが実験により確認されている。したがって、血液又は間質液中のフルクトース成分をピンポイントで捉えて正確に定量することが可能となる。
【００２５】
また本発明の成分分析装置は、ラマン散乱光における波長ごとの強度分布を示すラマンスペクトルを取得するスペクトル取得部と、血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部とを備え、前記血液又は前記間質液にマルトース成分が含まれている場合に前記ラマンスペクトルに出現するピークの中心波数として、５４６ｃｍ−１及び２８９８ｃｍ−１が設定されることを特徴とする。
【００２６】
マルトース成分が血液又は間質液中に含まれている場合、ラマンスペクトルの５４６ｃｍ−１及び２８９８ｃｍ−１で正確にピークが出現しその再現性もあることが実験により確認されている。したがって、血液又は間質液中のマルトース成分をピンポイントで捉えて正確に定量することが可能となる。
【００２７】
また本発明の成分分析装置は、ラマン散乱光における波長ごとの強度分布を示すラマンスペクトルを取得するスペクトル取得部と、血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部とを備え、前記血液又は前記間質液にマルトトリオース成分が含まれている場合に前記ラマンスペクトルに出現するピークの中心波数として、４７０ｃｍ−１及び９２２ｃｍ−１が設定されることを特徴とする。
【００２８】
マルトトリオース成分が血液又は間質液中に含まれている場合、ラマンスペクトルの４７０ｃｍ−１及び９２２ｃｍ−１で正確にピークが出現しその再現性もあることが実験により確認されている。したがって、血液又は間質液中のマルトトリオース成分をピンポイントで捉えて正確に定量することが可能となる。
【００２９】
また本発明の成分分析装置は、ラマン散乱光における波長ごとの強度分布を示すラマンスペクトルを取得するスペクトル取得部と、血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部とを備え、前記血液又は前記間質液に尿素成分が含まれている場合に前記ラマンスペクトルに出現するピークの中心波数として、１００２ｃｍ−１が設定されることを特徴とする。
【００３０】
尿素成分が血液又は間質液中に含まれている場合、ラマンスペクトルの１００２ｃｍ−１で正確に出現しその再現性もあることが実験により確認されている。したがって、血液又は間質液中の尿素成分をピンポイントで捉えて正確に定量することが可能となる。
【００３１】
また本発明の成分分析装置は、ラマン散乱光における波長ごとの強度分布を示すラマンスペクトルを取得するスペクトル取得部と、血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部とを備え、前記血液又は前記間質液にアセチルサリチル酸成分が含まれている場合に前記ラマンスペクトルに出現するピークの中心波数として、８０４ｃｍ−１、１０３２ｃｍ−１、１１５２ｃｍ−１及び１１９８ｃｍ−１が設定されることを特徴とする。
【００３２】
アセチルサリチル酸成分が血液又は間質液中に含まれている場合、ラマンスペクトルの８０４ｃｍ−１、１０３２ｃｍ−１、１１５２ｃｍ−１及び１１９８ｃｍ−１で正確に出現しその再現性もあることが実験により確認されている。したがって、血液又は間質液中のアセチルサリチル酸成分をピンポイントで捉えて正確に定量することが可能となる。
【００３３】
また本発明の成分分析装置は、ラマン散乱光における波長ごとの強度分布を示すラマンスペクトルを取得するスペクトル取得部と、血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部とを備え、前記血液又は前記間質液にアセトアミノフェン成分が含まれている場合に前記ラマンスペクトルに出現するピークの中心波数として、８５４ｃｍ−１及び１３２４ｃｍ−１が設定されることを特徴とする。
【００３４】
アセトアミノフェン成分が血液又は間質液中に含まれている場合、ラマンスペクトルの８５４ｃｍ−１及び１３２４ｃｍ−１で正確に出現しその再現性もあることが実験により確認されている。したがって、血液又は間質液中のアセトアミノフェン成分をピンポイントで捉えて正確に定量することが可能となる。
【００３５】
また本発明の成分分析装置は、ラマン散乱光における波長ごとの強度分布を示すラマンスペクトルを取得するスペクトル取得部と、血液又は間質液に含まれる成分に応じて前記ラマンスペクトルに出現するピークの中心波数として設定される波数と、前記スペクトル取得部で取得されるラマンスペクトルとに基づいて、前記血液又は前記間質液に含まれる成分を探索して識別する成分識別部とを備え、前記血液又は前記間質液にアスコルビン酸が含まれている場合に前記ラマンスペクトルに出現するピークの中心波数として、８２０ｃｍ−１及び１６８２ｃｍ−１が設定されることを特徴とする。
【００３６】
アスコルビン酸成分が血液又は間質液中に含まれている場合、ラマンスペクトルの８２０ｃｍ−１及び１６８２ｃｍ−１で正確に出現しその再現性もあることが実験により確認されている。したがって、血液又は間質液中のアスコルビン酸成分をピンポイントで捉えて正確に定量することが可能となる。
【発明の効果】
【００３７】
以上のように本発明によれば、分析結果の信頼性を向上し得る成分分析装置が提供される。
【図面の簡単な説明】
【００３８】
【図１】成分分析システムの構成を示す図である。
【図２】第１実施形態における成分分析装置の構成を示す図である。
【図３】グルコースの検量線を例示するグラフである。
【図４】フルクトースの検量線を例示するグラフである。
【図５】マルトースの検量線を例示するグラフである。
【図６】マルトトリオースの検量線を例示するグラフである。
【図７】第１の成分分析方法を示すフローチャートである。
【図８】第２実施形態における成分分析装置の構成を示す図である。
【図９】第２の成分分析方法を示すフローチャートである。
【図１０】他の成分分析システムの構成を示す図である。
【図１１】既知の濃度のグルコース成分を含む水溶液サンプルのラマンスペクトルを示す図である。
【図１２】既知の濃度のフルクトース成分を含む水溶液サンプルのラマンスペクトル（２００ｃｍ−１〜１０００ｃｍ−１）を示す図である。
【図１３】既知の濃度のフルクトース成分を含む水溶液サンプルのラマンスペクトル（２７００ｃｍ−１〜３１００ｃｍ−１）を示す図である。
【図１４】既知の濃度のマルトース成分を含む水溶液サンプルのラマンスペクトル（２００ｃｍ−１〜１０００ｃｍ−１）を示す図である。
【図１５】既知の濃度のマルトース成分を含む水溶液サンプルのラマンスペクトル（２７００ｃｍ−１〜３１００ｃｍ−１）を示す図である。
【図１６】既知の濃度のマルトトリオース成分を含む水溶液サンプルのラマンスペクトル（２００ｃｍ−１〜１０００ｃｍ−１）を示す図である。
【図１７】既知の濃度のマルトトリオース成分を含む水溶液サンプルのラマンスペクトル（８００ｃｍ−１〜１０００ｃｍ−１）を示す図である。
【図１８】既知の濃度の尿素成分を含む水溶液サンプルのラマンスペクトルを示す図である。
【図１９】既知の濃度のアセチルサリチル酸成分を含む水溶液サンプルのラマンスペクトル（２００ｃｍ−１〜１０００ｃｍ−１）を示す図である。
【図２０】既知の濃度のアセチルサリチル酸成分を含む水溶液サンプルのラマンスペクトル（１０００ｃｍ−１〜１５００ｃｍ−１）を示す図である。
【図２１】既知の濃度のアセトアミノフェン成分を含む水溶液サンプルのラマンスペクトル（２００ｃｍ−１〜１０００ｃｍ−１）を示す図である。
【図２２】既知の濃度のアセトアミノフェン成分を含む水溶液サンプルのラマンスペクトル（１０００ｃｍ−１〜３０００ｃｍ−１）を示す図である。
【図２３】既知の濃度のアスコルビン酸成分を含む水溶液サンプルのラマンスペクトル（８００ｃｍ−１〜１０００ｃｍ−１）を示す図である。
【図２４】既知の濃度のアスコルビン酸成分を含む水溶液サンプルのラマンスペクトル（１０００ｃｍ−１〜３０００ｃｍ−１）を示す図である。
【発明を実施するための形態】
【００３９】
以下、本発明に係る成分分析装置を実施するための実施形態及びその変形例が添付図面とともに例示される。以下に例示する実施形態及びその変形例は、本発明の理解を容易にするためのものであり、本発明を限定して解釈するためのものではない。本発明は、その趣旨を逸脱することなく、変更、改良することができる。
【００４０】
（１）実施形態
＜成分分析システムの構成＞
図１は、成分分析システムの構成を示す図である。図１に示すように、第１実施形態の成分分析システム１は、励起光の照射によって試料ＳＰＬで生じるラマン散乱光をスペクトルに分光して分析するシステムであり、光源２、リフレクタ３、光学系４、分光器５及び成分分析装置６を主な構成要素として備える。なお、本実施形態では、人から採取された血液が試料ＳＰＬとされる。
【００４１】
光源２は、試料ＳＰＬに照射すべき励起光を発するものである。この励起光の励起波長が短いほどラマン散乱の効率が高くなり空間分解能も高くなることから、光源２として固体レーザが好ましい。なお、ラマン散乱光のスペクトルでは、励起光の波数に対するラマン散乱光の波数の差（ラマンシフト量）が示されることから、当該励起波長は単一の波長であることが好ましい。この励起波長の具体例としては、例えば、５１４ｎｍ、５３２ｎｍ、６３３ｎｍ、６７０ｎｍ、７８５ｎｍのなかから選択される単一の波長とされる。
【００４２】
リフレクタ３は、光源２から発せられる光を反射させ、試料ＳＰＬに導く。なお、光源２から発せられる光を試料ＳＰＬに導く限り、リフレクタ３に代えて又はリフレクタ３に加えて、他の部材が採用されても良い。
【００４３】
光学系４は、試料ＳＰＬで生じるラマン散乱光を分光器５に導くものである。試料ＳＰＬに励起光が照射された場合、励起光と試料ＳＰＬとの相互作用によって、試料ＳＰＬでは励起光の波長と異なる波長のラマン散乱光が生じるとともに、当該励起光の波長と同じ波長のレイリー散乱光が生じる。本実施形態の光学系４は、このレイリー散乱光を除去するフィルタ４１を導波路上に有しており、当該フィルタ４１を介して得られるラマン散乱光を分光器５に導くようになっている。
【００４４】
分光器５は、回析格子５１及び光検出器５２を有する。回析格子５１は、試料ＳＰＬから光学系４を介して供給される光を波長ごとに分け、光検出器５２の受光面に導く。光検出器５２は、１次元又は２次元に配置される複数の受光素子を受光面内に有する。この光検出器５２は、受光面内の受光素子に露光される各波長のラマン散乱光の強さに比例した電荷を蓄え、当該ラマン散乱光における波長ごとの強度分布を示すラマンスペクトルのデータを成分分析装置６に出力する。光検出器５２の具体例としては、フォトダイオード、ＣＣＤ（Charge  Coupled  Device）、ＣＭＯＳ（Complementary  Metal  Oxide  Semiconductor）などが挙げられる。
【００４５】
成分分析装置６は、分光器５の光検出器５２から与えられるデータに基づいて試料ＳＰＬである血液に含まれる成分（血液成分）を探索し、当該探索結果として検出した血液成分の濃度を求めるようになっている。また成分分析装置６は、試料ＳＰＬが有していた血液成分の種類や濃度などを必要に応じて通知するようになっている。
【００４６】
この成分分析装置６として第１実施形態及び第２実施形態を例示する。
【００４７】
（１−１）第１実施形態における成分分析装置
＜成分分析装置の構成＞
図２は、第１実施形態における成分分析装置の構成の概略を示す図である。図２に示すように、成分分析装置６は、入力部６１、記憶部６２、表示部６３及び制御部６４を含む構成とされる。
【００４８】
入力部６１は、ユーザの操作に応じた命令や設定値などの各種の情報を入力可能な部分である。入力部６１の具体例としては、マウス、キーボード、可搬型の半導体メモリのコネクタなどが挙げられる。なお、半導体メモリとしては、ＵＳＢ（Universal  Serial  Bus）メモリやＣＦ（Compact Flash）メモリなどが挙げられる。
【００４９】
記憶部６２は、入力部６１又は制御部６４から与えられるデータを記憶し、当該記憶したデータを読み出す部分である。記憶部６２の具体例としては、ＨＤ（Hard  Disk）に代表される磁気ディスクもしくは半導体メモリ又は光ディスクなどが挙げられる。
【００５０】
この記憶部６２には、各種のプログラムを格納する第１格納領域と、入力部６１から入力される設定データなどの各種のデータを格納する第２格納領域と、当該プログラムやデータを展開する展開領域とが含まれる。本実施形態の第１格納領域には、血液成分を分析する処理を実行するための成分分析プログラムが記憶される。
【００５１】
表示部６３は、制御部６４から与えられるデータに示される情報を表示する部分である。表示部６３の具体例としては、液晶ディスプレイ、ＥＬ（Electro  Luminescence）ディスプレイ又はプラズマディスプレイなどが挙げられる。
【００５２】
制御部６４は、記憶部６２の第１格納領域に記憶されるプログラムや、当該記憶部６２の第２格納領域に記憶されるデータに基づいて成分分析装置６の制御を司るようになっている。
【００５３】
この制御部６４は、記憶部６２の第１格納領域に記憶される成分分析プログラムを読み出した場合、その読み出した成分分析プログラムを記憶部６２の展開領域に展開する。この場合、制御部６４は、スペクトル取得部７１、換算部７２、成分識別部７３、定量部７４及び通知部７５として機能し、血液に含まれる成分を分析する成分分析処理を実行する。
【００５４】
スペクトル取得部７１は、光源２から発すべき光の強度などを適宜調整して光源２を駆動し、当該光源２、リフレクタ３、試料ＳＰＬ及び光学系４を順次介して分光器５の光検出器５２から出力されるラマンスペクトルのデータを取得する。
【００５５】
換算部７２は、スペクトル取得部７１で取得されたラマンスペクトルの波長をラマンシフト量に換算する。具体的には、ラマンスペクトルにおける各波長は、単位の長さに含まれる波の数である波数に変換され、当該変換された各波数は、光源２から発せられる励起光の波数との差であるラマンシフト量として変換される。この結果、例えば縦軸を強度とするとともに横軸を波長とするラマンスペクトルが、当該縦軸を強度とし横軸をラマンシフト量とするラマンスペクトルとなる。なお、物質はその構造に応じた特有の振動エネルギーを持つことが知られており、ラマン散乱光の波数（振動数）と入射光の波数（振動数）の差であるラマンシフト量は物質の構造を反映した特有の値となる。
【００５６】
成分識別部７３は、換算部７２で換算されたラマンスペクトルと、血液成分に応じてラマンスペクトルに出現するピークの中心波数として設定される波数とに基づいて、血液成分を探索して識別する。
【００５７】
本実施形態の場合、血液にグルコース成分が含まれている場合にラマンスペクトルに出現するピークの中心波数として、９０４ｃｍ−１が設定される。また、血液にフルクトース成分が含まれている場合にラマンスペクトルに出現するピークの中心波数として、６２０ｃｍ−１及び２９４０ｃｍ−１が設定される。また、血液にマルトース成分が含まれている場合にラマンスペクトルに出現するピークの中心波数として、５４６ｃｍ−１及び２８９８ｃｍ−１が設定される。なお、これら設定値は入力部６１から入力され、設定データとして記憶部６２の第２格納領域に格納される。また、血液にマルトトリオース成分が含まれている場合にラマンスペクトルに出現するピークの中心波数として、４７０ｃｍ−１及び９２２ｃｍ−１が設定される。
【００５８】
成分識別部７３は、第２格納領域から読み出した設定データに示される上記の各中心波数を認識し、当該中心波数を基準として±５ｃｍ−１の範囲内にピークがあるか否かを探索する。
【００５９】
ここで、上記の各中心波数を基準とする±５ｃｍ−１の範囲内にピークが１つでも検出された場合、当該ピークに対応する血液成分が血液中に含まれていることを意味する。例えば、９０４ｃｍ−１±５ｃｍ−１の範囲内だけにピークが検出された場合、血液中には単糖類であるグルコースだけが含まれており、当該グルコースの異性体であるフルクトース、二糖類であるマルトース、三糖類であるマルトトリオースが含まれていない。また例えば、９０４ｃｍ−１±５ｃｍ−１の範囲と、５４６ｃｍ−１±５ｃｍ−１の範囲及び２８９８ｃｍ−１±５ｃｍ−１の範囲とにピークが検出された場合、血液中には単糖類であるグルコースと、二糖類であるマルトースとが含まれている。またこの例の場合、グルコースの異性体であるフルクトースと、三糖類であるマルトトリオースとは含まれていない。
【００６０】
このように成分識別部７３は、血液に含まれる単糖類、二糖類及び三糖類の糖成分を探索して識別できるようになっている。また、成分識別部７３は、糖尿病などの疾患の発見や治療における重要な指標の１つであるグルコースと、そのグルコースの異性体であるフルクトースとを探索して識別できるようになっている。
【００６１】
定量部７４は、成分識別部７３によって検出されたピークの強度に基づいて、当該ピークに対応する血液成分の濃度を求める。
【００６２】
本実施形態の場合、ラマンスペクトルの強度と、当該強度に対応する濃度との関係を示す検量線のデータが記憶部６２の第２格納領域に格納される。具体的には、図３に例示するようなグルコースの検量線と、図４に例示するようなフルクトースの検量線と、図５に例示するようなマルトースの検量線と、図６に例示するようなマルトトリオースの検量線のデータが格納される。なお、図３〜図６における縦軸はスペクトルの強度[intensity]を示し、横軸は濃度[ｍｇ／ｄｌ]を示している。
【００６３】
定量部７４は、成分識別部７３によって検出されたピークに対応する成分の検量線のデータを第２格納領域から読み出し、例えば図３〜図６に示した検量線を用いて、成分識別部７３によって検出されたピークの強度からそのピークに対応する血液成分の濃度（ｍｇ／ｄｌ）を求める。なお、検量線のデータは、入力部６１から入力され、記憶部６２の第２格納領域に格納される。
【００６４】
ところで、ラマンスペクトルの強度と、当該強度に対応する濃度との関係は、図３〜図６に示すようにおおむね線型性を有している。この線型性の関係を示す所定の関係式を用いて、成分識別部７３によって検出されたピークの強度からそのピークに対応する血液成分の濃度が求められても良い。
【００６５】
通知部７５は、成分識別部７３によって検出可能な血液成分の種類と、当該種類のうち成分識別部７３によって検出され定量部７４によって求められた血液成分の濃度とを通知する。具体的には、血液成分の種類と定量部７４によって求められた血液成分の濃度とが所定の表示形式で表示部６３の表示画面に表示される。なお、表示部６３に表示させることに代えて、又は、当該表示部６３に表示させることに加えて、血液成分の種類と定量部７４によって求められた血液成分の濃度とがスピーカから音声出力されても良い。
【００６６】
このようなスペクトル取得部７１、換算部７２、成分識別部７３、定量部７４及び通知部７５として制御部６４が機能し、血液に含まれる成分を分析する成分分析処理が実行される。
【００６７】
＜第１の成分分析方法＞
次に、上記の第１実施形態における成分分析装置６による第１の成分分析方法について説明する。図７は、第１の成分分析方法を示すフローチャートである。図７に示すように、制御部６４は、例えば入力部６１から成分分析の実行命令が与えられた時点を契機として成分分析を開始し、スペクトル取得ステップＳＰ１に進む。
【００６８】
制御部６４は、スペクトル取得ステップＳＰ１では、光源２から発すべき光の強度などを適宜調整して光源２を駆動し、試料ＳＰＬ（血液）で生じるラマン散乱光における波長ごとの強度分布を示すラマンスペクトルを取得した後、波数換算ステップＳＰ２に進む。
【００６９】
制御部６４は、波数換算ステップＳＰ２では、スペクトル取得ステップＳＰ１で取得したラマンスペクトルの波長をラマンシフト量に換算し、第１探索ステップＳＰ３に進む。
【００７０】
制御部６４は、第１探索ステップＳＰ３では、６２０ｃｍ−１±５ｃｍ−１の範囲及び２９４０ｃｍ−１±５ｃｍ−１の範囲内にピークがあるか否かを探索する。
【００７１】
この第１探索ステップＳＰ３でピークが検出されなかった場合、制御部６４は、試料ＳＰＬ（血液）にフルクトースが含まれていないと識別し、第１定量ステップＳＰ４を経ずに、第２探索ステップＳＰ５に進む。これに対し、第１探索ステップＳＰ３でピークが検出された場合、制御部６４は、試料ＳＰＬ（血液）にフルクトースが含まれていると識別し、第１定量ステップＳＰ４に進む。
【００７２】
制御部６４は、第１定量ステップＳＰ４では、第１探索ステップＳＰ３で検出したピークの強度と、記憶部６２に格納されるフルクトースの検量線とに基づいて血液中におけるフルクトースの濃度を求めた後、第２探索ステップＳＰ５に進む。
【００７３】
制御部６４は、第２探索ステップＳＰ５では、４７０ｃｍ−１±５ｃｍ−１の範囲及び９２２ｃｍ−１±５ｃｍ−１の範囲内にピークがあるか否かを探索する。
【００７４】
この第２探索ステップＳＰ５でピークが検出されなかった場合、制御部６４は、試料ＳＰＬ（血液）にマルトトリオースが含まれていないと識別し、第２定量ステップＳＰ６を経ずに、第３探索ステップＳＰ７に進む。これに対し、第２探索ステップＳＰ５でピークが検出された場合、制御部６４は、試料ＳＰＬ（血液）にマルトトリオースが含まれていると識別し、第２定量ステップＳＰ６に進む。
【００７５】
制御部６４は、第２定量ステップＳＰ６では、第２探索ステップＳＰ５で検出したピークの強度と、記憶部６２に格納されるマルトトリオースの検量線とに基づいて血液中におけるマルトトリオースの濃度を求めた後、第３探索ステップＳＰ７に進む。
【００７６】
制御部６４は、第３探索ステップＳＰ７では、５４６ｃｍ−１±５ｃｍ−１の範囲及び２８９８ｃｍ−１±５ｃｍ−１の範囲内にピークがあるか否かを探索する。
【００７７】
この第３探索ステップＳＰ７でピークが検出されなかった場合、制御部６４は、試料ＳＰＬ（血液）にマルトースが含まれていないと識別し、第３定量ステップＳＰ８を経ずに、第４探索ステップＳＰ９に進む。これに対し、第３探索ステップＳＰ７でピークが検出された場合、制御部６４は、試料ＳＰＬ（血液）にマルトースが含まれていると識別し、第３定量ステップＳＰ８に進む。
【００７８】
制御部６４は、第３定量ステップＳＰ８では、第３探索ステップＳＰ７で検出したピークの強度と、記憶部６２に格納されるマルトースの検量線とに基づいて血液中におけるマルトースの濃度を求めた後、第４探索ステップＳＰ９に進む。
【００７９】
制御部６４は、第４探索ステップＳＰ９では、９０４ｃｍ−１±５ｃｍ−１の範囲内にピークがあるか否かを探索する。
【００８０】
この第４探索ステップＳＰ９でピークが検出されなかった場合、制御部６４は、試料ＳＰＬ（血液）にグルコースが含まれていないと識別し、第４定量ステップＳＰ１０を経ずに、通知ステップＳＰ１１に進む。これに対し、第４探索ステップＳＰ９でピークが検出された場合、制御部６４は、試料ＳＰＬ（血液）にグルコースが含まれていると識別し、第４定量ステップＳＰ１０に進む。
【００８１】
制御部６４は、第４定量ステップＳＰ１０では、第４探索ステップＳＰ９で検出したピークの強度と、記憶部６２に格納されるグルコースの検量線とに基づいて血液中におけるグルコースの濃度を求めた後、通知ステップＳＰ１１に進む。
【００８２】
制御部６４は、通知ステップＳＰ１１では、グルコース、フルクトース、マルトース及びマルトトリオースそれぞれの濃度を求めなかった場合にはこれらの糖が血液中に含まれていないことを通知する。一方、制御部６４は、グルコース、フルクトース、マルトース及びマルトトリオースのいずれか１つでも濃度を求めている場合には、当該濃度を求めた糖とその濃度を通知する。このように制御部６４は、通知ステップＳＰ１１では、第１探索ステップＳＰ３から第４定量ステップＳＰ１０までの成分分析結果を通知した後、成分分析を終了する。
【００８３】
なお、上記第１の分析方法では、フルクトース、マルトトリオース、マルトース、グルコースの順序で血液成分が探索されたが、当該順序以外の順序が採用されていても良い。また、上記第１の分析方法では、血液成分が検出された場合には次の血液成分を探索する前にその検出された血液成分が定量されたが、各種の血液成分すべてを探索した後にその探索により検出された血液成分が定量されても良い。
【００８４】
＜小括＞
以上のとおり、本実施形態の成分分析装置６は、血液に含まれる複数種類の糖成分を探索して識別するようになっている。このため、糖尿病などの疾患の発見や治療における重要な指標の１つである血糖を細分して定量することが可能となり、複数種類の糖成分を大局的に捉える場合に比べてより詳細な情報を与えることができる。こうして、分析結果の信頼性を向上し得る成分分析装置６が提供される。
【００８５】
また本実施形態の場合、血液に含まれる単糖類、二糖類及び三糖類の糖成分それぞれが探索され識別される。このため、糖類の構造上近似する種類を細分してより局所的に定量することが可能となり、その分だけ詳細な情報を与えることができる。
【００８６】
さらに本実施形態の場合、血液にグルコース成分が含まれている場合にラマンスペクトルに出現するピークの中心波数として９０４ｃｍ−１が設定されている。
【００８７】
グルコース成分が血液中に含まれている場合、ラマンスペクトルの９０４ｃｍ−１で正確にピークが出現しその再現性もあることが実験により確認されている。したがって、血液中のグルコース成分をピンポイントで捉えて正確に定量することが可能となる。
【００８８】
さらに本実施形態の場合、血液にフルクトース成分が含まれている場合にラマンスペクトルに出現するピークの中心波数として６２０ｃｍ−１及び２９４０ｃｍ−１が設定されている。
【００８９】
フルクトース成分が血液中に含まれている場合、ラマンスペクトルの６２０ｃｍ−１及び２９４０ｃｍ−１で正確にピークが出現しその再現性もあることが実験により確認されている。したがって、血液中のフルクトース成分をピンポイントで捉えて正確に定量することが可能となる。
【００９０】
さらに本実施形態の場合、血液にマルトース成分が含まれている場合にラマンスペクトルに出現するピークの中心波数として５４６ｃｍ−１及び２８９８ｃｍ−１が設定されている。
【００９１】
マルトース成分が血液中に含まれている場合、ラマンスペクトルの５４６ｃｍ−１及び２８９８ｃｍ−１で正確にピークが出現しその再現性もあることが実験により確認されている。したがって、血液中のマルトース成分をピンポイントで捉えて正確に定量することが可能となる。
【００９２】
さらに本実施形態の場合、血液にマルトトリオース成分が含まれている場合にラマンスペクトルに出現するピークの中心波数として４７０ｃｍ−１及び９２２ｃｍ−１が設定されている。
【００９３】
マルトトリオース成分が血液中に含まれている場合、ラマンスペクトルの４７０ｃｍ−１及び９２２ｃｍ−１で正確にピークが出現しその再現性もあることが実験により確認されている。したがって、血液中のマルトトリオース成分をピンポイントで捉えて正確に定量することが可能となる。
【００９４】
（１−２）第２実施形態における成分分析装置
次に、第２実施形態における成分分析装置６について説明する。なお、第１実施形態と同一又は同等の構成要素については同一の参照符号を付し、重複する説明は適宜省略する。
【００９５】
＜成分分析装置の構成＞
図８は、第２実施形態における成分分析装置の構成の概略を示す図である。図８に示すように、本実施形態の成分分析装置６では、記憶部６２の第１格納領域に記憶される成分分析プログラムを読み出した場合に機能する制御部６４の機能部が相違している。
【００９６】
具体的に制御部６４は、第１実施形態では血液中の糖成分を探索する成分識別部７３を有していたのに対し、本実施形態では血液中の糖成分以外の成分を探索する成分識別部８３を有している。
【００９７】
本実施形態の場合、血液に尿素成分が含まれている場合にラマンスペクトルに出現するピークの中心波数として、１００２ｃｍ−１が設定される。また、血液にアスコルビン酸が含まれている場合にラマンスペクトルに出現するピークの中心波数として、８２０ｃｍ−１及び１６８２ｃｍ−１が設定される。また、風邪薬の主成分の１つであるアセトアミノフェンが含まれている場合にラマンスペクトルに出現するピークの中心波数として、８５４ｃｍ−１及び１３２４ｃｍ−１が設定される。また、頭痛薬の主成分の１つであるアセチルサリチル酸が含まれている場合にラマンスペクトルに出現するピークの中心波数として、８０４ｃｍ−１、１０３２ｃｍ−１、１１５２ｃｍ−１及び１１９８ｃｍ−１が設定される。
【００９８】
成分識別部８３は、記憶部６２の第２格納領域から読み出した設定データに示される上記の各中心波数を認識し、当該中心波数を基準として±５ｃｍ−１の範囲内にピークがあるか否かを探索する。
【００９９】
ここで、上記の各中心波数を基準とする±５ｃｍ−１の範囲内にピークが１つでも検出された場合、当該ピークに対応する糖以外の血液成分が血液中に含まれていることを意味する。例えば、１００２ｃｍ−１±５ｃｍ−１の範囲内だけにピークが検出された場合、血液中には尿素が含まれており、その濃度によっては腎疾患などが懸念されるので、当該尿素の濃度を検出可能であることは有用となる。
【０１００】
また例えば、１００２ｃｍ−１±５ｃｍ−１の範囲内と、８２０ｃｍ−１±５ｃｍ−１及び１６８２ｃｍ−１±５ｃｍ−１の範囲内とにピークが検出された場合、血液中には尿素及びアスコルビン酸が含まれている。血液中のアスコルビン酸の濃度は治療における指標の１つとなる場合があるので、当該アスコルビン酸を検出可能であることは有用となる。また、食事や経口摂取したアスコルビン酸の血中濃度には限度があり、過剰摂取により少なからず腎臓に負担がかかる。このため、血液中に尿素濃度が上昇している場合にその要因が腎疾患によるものかアスコルビン酸の過剰摂取によるものかを知る指標の１つとなり得るので、当該アスコルビン酸を検出可能であることは有用となる。
【０１０１】
また例えば、１００２ｃｍ−１±５ｃｍ−１の範囲内と、８５４ｃｍ−１±５ｃｍ−１及び１３２４ｃｍ−１±５ｃｍ−１の範囲内とにピークが検出された場合、血液中には尿素及びアセトアミノフェンが含まれている。上記のようにアセトアミノフェン及びアセチルサリチル酸は薬剤の主成分の１つであり、当該薬剤の摂取により少なからず腎臓に負担がかかる。このため、血液中に尿素濃度が上昇している場合にその要因が腎疾患によるものか薬剤の摂取によるものかを知る指標の１つとなり得るので、アセトアミノフェン及びアセチルサリチル酸を検出可能であることは有用となる。
【０１０２】
このように成分識別部８３は、血液に含まれる糖成分以外の成分を探索できるようになっている。
【０１０３】
また制御部６４は、第１実施形態では血液中の糖成分を定量する定量部７４を有していたのに対し、本実施形態では血液中の糖成分以外の成分を定量する定量部８４を有している。
【０１０４】
この定量部８４は、成分識別部８３によって検出されたピークの強度に基づいて、当該ピークに対応する血液成分の濃度を求める。
【０１０５】
本実施形態の場合、上記第１実施形態と同様に、尿素の検量線、アスコルビン酸の検量線、アセトアミノフェンの検量線及びアセチルサリチル酸の検量線のデータが記憶部６２の第２格納領域に格納される。このデータは、入力部６１から入力される。
【０１０６】
定量部８４は、成分識別部７３によって検出されたピークに対応する成分の検量線のデータを第２格納領域から読み出し、当該検量線を用いて、成分識別部８３によって検出されたピークの強度からそのピークに対応する血液成分の濃度を求める。
【０１０７】
なお、尿素、アスコルビン酸、アセトアミノフェン及びアセチルサリチル酸の検量線は、上記第１実施形態のグルコース等と同様におおむね線型性を有している。したがって、所定の線型関係式を用いて、成分識別部８３によって検出されたピークの強度からそのピークに対応する血液成分の濃度が求められても良い。
【０１０８】
また制御部６４は、第１実施形態では血液中の糖成分に関する分析結果を通知する通知部７５を有していたのに対し、本実施形態では血液中の成分以外の成分に関する分析結果を通知する通知部８５を有している。
【０１０９】
この通知部８５は、成分識別部８３によって検出可能な血液成分の種類と、当該種類のうち成分識別部８３によって検出され定量部８４によって求められた血液成分の濃度とを通知する。具体的には、血液成分の種類と定量部８４によって求められた血液成分の濃度とが所定の表示形式で表示部６３の表示画面に表示される。なお、表示部６３に表示させることに代えて、又は、当該表示部６３に表示させることに加えて、血液成分の種類と定量部８４によって求められた血液成分の濃度とがスピーカから音声出力されても良い。
【０１１０】
これに加えて、通知部８５は、定量部８４によって薬剤成分であるアセトアミノフェン及びアセチルサリチル酸のいずれか１つでも濃度が求められている場合には、当該濃度と、予め規定される規定値とを比較する。ここで、定量部８４によって求められた濃度が規定値以上である場合、通知部８５は血液中に薬剤成分があることを通知するようになっている。
【０１１１】
なお、規定値は、例えば、血液中の尿素やグルコースなど薬剤成分以外の他の成分に対する測定に影響を与えている可能性を考慮し、血液中に薬剤成分があっても再測定しなくても良いとする薬剤濃度の上限に基づいて定められる。この規定値は、入力部６１から入力され、設定データとして記憶部６２の第２格納領域に格納される。また、アセトアミノフェン及びアセチルサリチル酸の双方の濃度が定量部８４によって求められている場合、それらの合計濃度が規定値と比較されても良く、濃度の多い方が規定値と比較されても良い。
【０１１２】
このような成分識別部８３、定量部８４及び通知部８５と、上記のスペクトル取得部７１及び換算部７２として制御部６４が機能し、血液に含まれる成分を分析する成分分析処理が実行される。
【０１１３】
＜第２の成分分析方法＞
次に、上記の第２実施形態における成分分析装置６による第２の成分分析方法について説明する。図９は、第２の成分分析方法を示すフローチャートである。図９に示すように、制御部６４は、例えば入力部６１から成分分析の実行命令が与えられた時点を契機として成分分析を開始し、上記のスペクトル取得ステップＳＰ１及び波数換算ステップＳＰ２を順次経て、第１探索ステップＳＰ３０に進む。
【０１１４】
制御部６４は、第１探索ステップＳＰ３０では、１００２ｃｍ−１±５ｃｍ−１の範囲内にピークがあるか否かを探索する。
【０１１５】
この第１探索ステップＳＰ３０でピークが検出されなかった場合、制御部６４は、試料ＳＰＬ（血液）に尿素が含まれていないと識別し、第１定量ステップＳＰ４０を経ずに、第２探索ステップＳＰ５０に進む。これに対し、第１探索ステップＳＰ３０でピークが検出された場合、制御部６４は、試料ＳＰＬ（血液）に尿素が含まれていると識別し、第１定量ステップＳＰ４０に進む。
【０１１６】
制御部６４は、第１定量ステップＳＰ４０では、第１探索ステップＳＰ３０で検出したピークの強度と、記憶部６２に格納される尿素の検量線とに基づいて血液中における尿素の濃度を求めた後、第２探索ステップＳＰ５０に進む。
【０１１７】
制御部６４は、第２探索ステップＳＰ５０では、８２０ｃｍ−１±５ｃｍ−１及び１６８２ｃｍ−１±５ｃｍ−１の範囲内にピークがあるか否かを探索する。
【０１１８】
この第２探索ステップＳＰ５０でピークが検出されなかった場合、制御部６４は、試料ＳＰＬ（血液）にアスコルビン酸が含まれていないと識別し、第２定量ステップＳＰ６０を経ずに、第３探索ステップＳＰ７０に進む。これに対し、第２探索ステップＳＰ５０でピークが検出された場合、制御部６４は、試料ＳＰＬ（血液）にアスコルビン酸が含まれていると識別し、第２定量ステップＳＰ６０に進む。
【０１１９】
制御部６４は、第２定量ステップＳＰ６０では、第２探索ステップＳＰ５０で検出したピークの強度と、記憶部６２に格納されるアスコルビン酸の検量線とに基づいて血液中におけるアスコルビン酸の濃度を求めた後、第３探索ステップＳＰ７０に進む。
【０１２０】
制御部６４は、第３探索ステップＳＰ７０では、８５４ｃｍ−１±５ｃｍ−１の範囲及び１３２４ｃｍ−１±５ｃｍ−１の範囲内にピークがあるか否かを探索する。
【０１２１】
この第３探索ステップＳＰ７０でピークが検出されなかった場合、制御部６４は、試料ＳＰＬ（血液）にアセトアミノフェンが含まれていないと識別し、第３定量ステップＳＰ８０を経ずに、第４探索ステップＳＰ９０に進む。これに対し、第３探索ステップＳＰ７０でピークが検出された場合、制御部６４は、試料ＳＰＬ（血液）にアセトアミノフェンが含まれていると識別し、第３定量ステップＳＰ８０に進む。
【０１２２】
制御部６４は、第３定量ステップＳＰ８０では、第３探索ステップＳＰ７０で検出したピークの強度と、記憶部６２に格納されるアセトアミノフェンの検量線とに基づいて血液中におけるアセトアミノフェンの濃度を求めた後、第４探索ステップＳＰ９０に進む。
【０１２３】
制御部６４は、第４探索ステップＳＰ９０では、８０４ｃｍ−１±５ｃｍ−１の範囲、１０３２ｃｍ−１±５ｃｍ−１の範囲、１１５２ｃｍ−１±５ｃｍ−１の範囲及び１１９８ｃｍ−１±５ｃｍ−１の範囲内にピークがあるか否かを探索する。
【０１２４】
この第４探索ステップＳＰ９０でピークが検出されなかった場合、制御部６４は、試料ＳＰＬ（血液）にアセチルサリチル酸が含まれていないと識別し、第４定量ステップＳＰ１００を経ずに、通知ステップＳＰ１１０に進む。これに対し、第４探索ステップＳＰ９０でピークが検出された場合、制御部６４は、試料ＳＰＬ（血液）にアセチルサリチル酸が含まれていると識別し、第４定量ステップＳＰ１００に進む。
【０１２５】
制御部６４は、第４定量ステップＳＰ１００では、第４探索ステップＳＰ９０で検出したピークの強度と、記憶部６２に格納されるアセチルサリチル酸の検量線とに基づいて血液中におけるアセチルサリチル酸の濃度を求めた後、通知ステップＳＰ１１０に進む。
【０１２６】
制御部６４は、通知ステップＳＰ１１０では、薬剤成分であるアセトアミノフェン及びアセチルサリチル酸のいずれか１つでも濃度を求めており、当該濃度が予め規定される規定値以上である場合には、血液中に薬剤成分があることを通知する。
【０１２７】
また制御部６４は、尿素、アスコルビン酸、アセトアミノフェン及びアセチルサリチル酸それぞれの濃度を求めなかった場合にはこれらの成分が血液中に含まれていないことを通知する。一方、制御部６４は、尿素、アスコルビン酸、アセトアミノフェン及びアセチルサリチル酸のいずれか１つでも濃度を求めている場合には、当該濃度を求めた成分の種類とその濃度を通知する。すなわち制御部６４は、通知ステップＳＰ１１０では、第１探索ステップＳＰ３０から第４定量ステップＳＰ１００までの成分分析結果を通知した後、成分分析を終了する。
【０１２８】
なお、上記第２の分析方法では、尿素、アスコルビン酸、アセトアミノフェン、アセチルサリチル酸の順序で血液成分が探索されたが、当該順序以外の順序が採用されていても良い。また、上記第２の分析方法では、血液成分が検出された場合には次の血液成分を探索する前にその検出された血液成分が定量されたが、各種の血液成分すべてを探索した後にその探索により検出された血液成分が定量されても良い。
【０１２９】
＜小括＞
以上のとおり本実施形態の成分分析装置６は、血液に含まれる複数種類の糖成分以外の成分を探索して識別するようになっている。具体的には尿素成分が探索して識別される。この尿素成分が血液中に含まれている場合にラマンスペクトルに出現するピークの中心波数として１００２ｃｍ−１が設定されている。
【０１３０】
尿素成分が血液中に含まれている場合、ラマンスペクトルの１００２ｃｍ−１で正確に出現しその再現性もあることが実験により確認されている。したがって、血液中の尿素成分をピンポイントで捉えて正確に定量することが可能となる。
【０１３１】
また本実施形態の場合、血液に含まれるアセチルサリチル酸成分も探索される。このアセチルサリチル酸成分が血液中に含まれている場合にラマンスペクトルに出現するピークの中心波数として８０４ｃｍ−１、１０３２ｃｍ−１、１１５２ｃｍ−１及び１１９８ｃｍ−１が設定されている。
【０１３２】
アセチルサリチル酸成分が血液中に含まれている場合、ラマンスペクトルの８０４ｃｍ−１、１０３２ｃｍ−１、１１５２ｃｍ−１及び１１９８ｃｍ−１で正確に出現しその再現性もあることが実験により確認されている。したがって、血液中のアセチルサリチル酸成分をピンポイントで捉えて正確に定量することが可能となる。
【０１３３】
また本実施形態の場合、血液に含まれるアセトアミノフェン成分も探索される。このアセトアミノフェン成分が血液中に含まれている場合にラマンスペクトルに出現するピークの中心波数として８５４ｃｍ−１±５ｃｍ−１及び１３２４ｃｍ−１±５ｃｍ−１が設定されている。
【０１３４】
アセトアミノフェン成分が血液中に含まれている場合、ラマンスペクトルの８５４ｃｍ−１±５ｃｍ−１及び１３２４ｃｍ−１±５ｃｍ−１で正確に出現しその再現性もあることが実験により確認されている。したがって、血液中のアセトアミノフェン成分をピンポイントで捉えて正確に定量することが可能となる。
【０１３５】
また本実施形態の場合、血液に含まれるアスコルビン酸成分も探索される。このアスコルビン酸成分が血液中に含まれている場合にラマンスペクトルに出現するピークの中心波数として８２０ｃｍ−１及び１６８２ｃｍ−１が設定されている。
【０１３６】
アスコルビン酸成分が血液中に含まれている場合、ラマンスペクトルの８２０ｃｍ−１及び１６８２ｃｍ−１で正確に出現しその再現性もあることが実験により確認されている。したがって、血液中のアスコルビン酸成分をピンポイントで捉えて正確に定量することが可能となる。
【０１３７】
（２）変形例
上記実施形態では、糖類として単糖類、二糖類及び三糖類が探索された。しかしながら、単糖類、二糖類及び三糖類に加えて、あるいは、単糖類、二糖類及び三糖類に代えて、例えば、グリコーゲンやアミロースなど、四糖類以上の糖類を探索することが可能である。
【０１３８】
また上記実施形態では、単糖類としてグルコース及びフルクトースが探索された。しかしながら、グルコース及びフルクトースに加えて、あるいは、グルコース及びフルクトースに代えて、当該グルコース及びフルクトース以外の他の単糖類を探索することが可能である。
【０１３９】
また上記実施形態では、二糖類としてマルトースが探索された。しかしながら、マルトースに加えて、あるいは、マルトースに代えて、例えば、スクロースやラクトースなど、当該マルトース以外の他の単糖類を探索することが可能である。
【０１４０】
また上記実施形態では、三糖類としてマルトトリオースが探索された。しかしながら、マルトトリオースに加えて、あるいは、マルトトリオースに代えて、当該マルトトリオース以外の他の単糖類を探索することが可能である。
【０１４１】
また上記実施形態では、薬剤成分としてアセチルサリチル酸及びアセトアミノフェンが探索された。しかしながら、アセチルサリチル酸及びアセトアミノフェンに加えて、あるいは、アセチルサリチル酸及びアセトアミノフェンに代えて、例えば、リン酸ジヒドロコデイン、ブロムワレリル尿素、塩酸エフェドリンなど、当該アセチルサリチル酸及びアセトアミノフェン以外の他の薬剤成分を探索することが可能である。なお、リン酸ジヒドロコデインなどは過剰摂取により幻覚を生じる可能性があり、疾患の治療などに重要な指標を与えることができる。
【０１４２】
また上記実施形態では、血液に含まれる単糖類、二糖類及び三糖類の糖成分を探索することと、糖成分以外の成分を探索することが別々に実行された。しかしながら、血液に含まれる単糖類、二糖類及び三糖類の糖成分を探索することと、糖成分以外の成分を探索することが一連の処理として実行されても良い。すなわち、上記第１の成分分析方法と第２の成分分析方法とを実行する成分識別部、定量部及び通知部の各機能部が採用されても良い。
【０１４３】
成分識別部が血液に含まれる複数種類の糖成分を探索するとともに、当該血液に含まれる尿素成分を探索して識別するようにした場合、糖尿病の予防、早期発見、治療と同時に、その糖尿病と合併し易い腎疾患の予防、早期発見、治療に重要な指標を与えることができる。また、人工透析時の透析効率などをより綿密に管理することができる。
【０１４４】
また、成分識別部が血液に含まれる複数種類の糖成分を探索するとともに、当該血液に含まれる薬剤成分を探索して識別するようにした場合、血液中の糖成分に影響を与える可能性を有する薬剤成分を血糖とともに定量することが可能となる。したがって、血糖が正常範囲内にない場合にその要因が薬剤成分であるか否かを判断する指標を与えることができる。また、経口した食物、飲み物から吸収された可能性などを指標として与えることが可能となる。さらに、意識障害が生じている場合など、経口したことが要因になっているのか、薬剤を投与したことが要因となっているのかの指標となり得るので、緊急性をともなる場合などで有用性が高まる。
【０１４５】
また、成分識別部が血液に含まれる複数種類の糖成分を探索するとともに、当該血液に含まれるアスコルビン酸成分を探索して識別するようにした場合、糖尿病に起因するアスコルビン酸不足の有無を情報として与えることができる。したがって、糖尿病の予防、早期発見、治療に重要な指標をより詳しく与えることができる。
【０１４６】
また、上記実施形態では、励起光が照射される試料ＳＰＬとして人から採取された血液が採用された。しかしながら、励起光が照射される試料ＳＰＬは、人から採取された間質液とされても良い。また、人体に流れる血液とされても良い。人体に流れる血液を試料ＳＰＬとする場合、例えば、制御部６４が、光学系を制御して人体に対するレーザの深度を変えながら、当該深度で得られる血液成分の有無などに応じて、人体内の血管に焦点を合わせるようにすれば良い。また、人の血液が試料ＳＰＬとされたが、例えば、動物など人以外の生体にも適用可能である。
【０１４７】
また、上記実施形態では、試料ＳＰＬに対して単一の波長の励起光が試料ＳＰＬに照射された。しかしながら、図１０に例示するように、互いに異なる波長の第１のレーザ光と第２のレーザ光とが試料ＳＰＬに照射されても良い。図１０の成分分析システム１００では、例えば１０６４ｎｍのパルスレーザ光であるポンプ光を出射する第１の光源２１と、例えば１１００ｎｍのパルスレーザ光であるストークス光を出射する第２の光源２２とが設けられる。第１の光源２１から出射されるポンプ光は、光遅延器３１を通してダイクロイックミラーＤＭに至る。光遅延器３１は、例えば光路長を変更して、ポンプ光の照射タイミングをストークス光に合わせるものである。第２の光源２２から出射されるストークス光は、ミラーＭを介してダイクロイックミラーＤＭに至る。ダイクロイックミラーＤＭではポンプ光とストークス光とが重畳され、その重畳されたポンプ光とストークス光とは集光され試料ＳＰＬに照射される。この照射によって試料ＳＰＬでは、ポンプ光の波長と異なりストークス光の波長とも異なる波長のＣＡＲＳ（Coherent Anti-Stokes Raman Scattering）光が生じる。試料ＳＰＬで生じたＣＡＲＳ光は、光学系４の光学フィルタ４２を透過して分光器５に至る。光学フィルタ４２は、ＣＡＲＳ光以外の迷光をカットするフィルタとされる。分光器５に至ったＣＡＲＳ光は、回析格子５１で波長ごとに分けられ、当該ＣＡＲＳ光の波長ごとの強度分布を示すラマンスペクトルのデータが分光器５から出力される。このラマンスペクトルにおける各波長は、単位長さに含まれる波の数である波数に換算部７２で変換される。但し、ラマンシフト量に換算されなくても良い。
【実施例】
【０１４８】
次に、取得したラマンスペクトルのピークに関して説明する。ただし、本発明は、この実施例に限定されるものではない。なお、実施例では、血液に代えて所定の成分を含む水溶液サンプルを用いた。
【０１４９】
＜グルコース成分のピーク＞
グルコース濃度が異なる水溶液サンプルに対して７８５ｎｍの単一波長でなるレーザ光を照射し、当該水溶液サンプルそれぞれのラマンスペクトルを取得した。この取得結果を図１１に示す。なお、グルコース濃度が異なる水溶液サンプルそれぞれのラマンスペクトルを取得する際のシステムの条件は同一としている。また、水溶液サンプルのグルコース濃度は、Thermo  Fisher  Scientific社製の液体クロマトグラフィーを用いて糖成分を単離し、その糖成分を荷電化粒子検出器を用いて取得したスペクトルから得ている。
図１１に示す縦軸はスペクトルの強度[intensity]を示し、横軸は波数[ｃｍ−１]を示している。また、図１１の右欄に示す“ｇｌｃｏ”はグルコースを意味し、その“ｇｌｃｏ”の右側の数値[ｍｇ]は水溶液サンプル中のグルコースの濃度（ｍｇ／ｄｌ）を意味している。
図１１に示すように、グルコース成分が水溶液サンプル中に含まれている場合、ラマンスペクトルの９０４ｃｍ−１で正確にピークが出現しその再現性もあることが分かった。なお、図１１では、９０４ｃｍ−１以外でもピークが出現しているが、当該ピークはグルコース成分とは無関係の成分である。
【０１５０】
＜フルクトース成分のピーク＞
フルクトース濃度が異なる水溶液サンプルに対して７８５ｎｍの単一波長でなるレーザ光を照射し、当該水溶液サンプルそれぞれのラマンスペクトルを取得した。この取得結果を図１２及び図１３に示す。なお、フルクトース濃度が異なる水溶液サンプルそれぞれのラマンスペクトルを取得する際のシステムの条件は同一としている。また、水溶液サンプルのフルクトース濃度は、上記グルコース濃度と同様に得ている。
図１２及び図１３に示す縦軸はスペクトルの強度[intensity]を示し、横軸は波数[ｃｍ−１]を示している。また、図１２及び図１３の右欄に示す“ｆｕｌｃｔｏ”はフルクトースを意味し、その“ｆｕｌｃｔｏ”の右側の数値[ｍｇ]は水溶液サンプル中のフルクトースの濃度（ｍｇ／ｄｌ）を意味している。
図１２及び図１３に示すように、フルクトース成分が水溶液サンプル中に含まれている場合、ラマンスペクトルの６２０ｃｍ−１及び２９４０ｃｍ−１で正確にピークが出現しその再現性もあることが分かった。なお、図１２では６２０ｃｍ−１以外でもピークが出現するとともに図１３では２９４０ｃｍ−１以外でもピークが出現しているが、当該ピークはフルクトース成分とは無関係の成分である。
【０１５１】
＜マルトース成分のピーク＞
マルトース濃度が異なる水溶液サンプルに対して７８５ｎｍの単一波長でなるレーザ光を照射し、当該水溶液サンプルそれぞれのラマンスペクトルを取得した。この取得結果を図１４及び図１５に示す。なお、マルトース濃度が異なる水溶液サンプルそれぞれのラマンスペクトルを取得する際のシステムの条件は同一としている。また、水溶液サンプルのマルトース濃度は、上記グルコース濃度と同様に得ている。
図１４及び図１５に示す縦軸はスペクトルの強度[intensity]を示し、横軸は波数[ｃｍ−１]を示している。また、図１４及び図１５の右欄に示す“ｍａｌｔｏ”はマルクトースを意味し、その“ｍａｌｔｏ”の右側の数値[ｍｇ]は水溶液サンプル中のマルクトースの濃度（ｍｇ／ｄｌ）を意味している。
図１４及び図１５に示すように、マルトース成分が水溶液サンプル中に含まれている場合、ラマンスペクトルの５４６ｃｍ−１及び２８９８ｃｍ−１で正確にピークが出現しその再現性もあることが分かった。なお、図１４では５４６ｃｍ−１以外でもピークが出現するとともに図１５では２８９８ｃｍ−１以外でもピークが出現しているが、当該ピークはマルトース成分とは無関係の成分である。
【０１５２】
＜マルトトリオース成分のピーク＞
マルトトリオース濃度が異なる水溶液サンプルに対して７８５ｎｍの単一波長でなるレーザ光を照射し、当該水溶液サンプルそれぞれのラマンスペクトルを取得した。この取得結果を図１６及び図１７に示す。なお、マルトトリオース濃度が異なる水溶液サンプルのラマンスペクトルを取得する際のシステムの条件は同一としている。また、水溶液サンプルのマルトトリオース濃度は、上記グルコース濃度と同様に得ている。
図１６及び図１７の縦軸はスペクトルの強度[intensity]を示し、横軸は波数[ｃｍ−１]を示している。また、図１６及び図１７の右欄に示す“ｍａｌｔｏｔｒｉ”はマルトトリオースを意味し、その“ｍａｌｔｏｔｒｉ”の右側の数値[ｍｇ]は水溶液サンプル中のマルトトリオースの濃度（ｍｇ／ｄｌ）を意味している。
図１６及び図１７に示すように、マルトトリオース成分が水溶液サンプル中に含まれている場合、ラマンスペクトルの４７０ｃｍ−１及び９２２ｃｍ−１で正確にピークが出現しその再現性もあることが分かった。なお、図１６では４７０ｃｍ−１以外でもピークが出現するとともに図１７では９２２ｃｍ−１以外でもピークが出現しているが、当該ピークはマルトトリオース成分とは無関係の成分である。
【０１５３】
＜尿素成分のピーク＞
尿素濃度が異なる水溶液サンプルに対して７８５ｎｍの単一波長でなるレーザ光を照射し、当該水溶液サンプルそれぞれのラマンスペクトルを取得した。この取得結果を図１８に示す。なお、尿素濃度が異なる水溶液サンプルそれぞれのラマンスペクトルを取得する際のシステムの条件は同一としている。また、水溶液サンプルの尿素濃度は、上記グルコース濃度と同様に得ている。
図１８に示す縦軸はスペクトルの強度[intensity]を示し、横軸は波数[ｃｍ−１]を示している。また、図１８の右欄に示す“ｕｒｅａ”は尿素を意味し、その“ｕｒｅａ”の右側の数値[ｍｇ]は水溶液サンプル中の尿素の濃度（ｍｇ／ｄｌ）を意味している。
図１８に示すように、尿素成分が水溶液サンプル中に含まれている場合、ラマンスペクトルの１００２ｃｍ−１で正確にピークが出現しその再現性もあることが分かった。なお、図１８では１００２ｃｍ−１以外でもピークが出現しているが、当該ピークは尿素成分とは無関係の成分である。
【０１５４】
＜アセチルサリチル酸成分のピーク＞
アセチルサリチル酸濃度が異なる水溶液サンプルに対して７８５ｎｍの単一波長でなるレーザ光を照射し、当該水溶液サンプルそれぞれのラマンスペクトルを取得した。この取得結果の一部を図１９及び図２０に示す。なお、アセチルサリチル酸濃度が異なる水溶液サンプルのラマンスペクトルを取得する際のシステムの条件は同一としている。また、水溶液サンプルのアセチルサリチル酸濃度は、上記グルコース濃度と同様に得ている。
図１９及び図２０に示す縦軸はスペクトルの強度[intensity]を示し、横軸は波数[ｃｍ−１]を示している。また、図１９及び図２０の右欄に示す“ａｃｅｔｙｌｓａｌｉｃｙｌｉｃａｃｉｄ”はアセチルサリチル酸を意味し、その“ａｃｅｔｙｌｓａｌｉｃｙｌｉｃａｃｉｄ”の右側の数値[ｍｇ]は水溶液サンプル中のアセチルサリチル酸の濃度（ｍｇ／ｄｌ）を意味している。
図１９及び図２０に示すように、アセチルサリチル酸成分が水溶液サンプル中に含まれている場合、ラマンスペクトルの８０４ｃｍ−１、１０３２ｃｍ−１、１１５２ｃｍ−１及び１１９８ｃｍ−１で正確にピークが出現していることが分かった。また、ここでは図示しないが再現性もあることが分かっている。なお、図１９では８０４ｃｍ−１以外でもピークが出現するとともに図２０では１０３２ｃｍ−１、１１５２ｃｍ−１及び１１９８ｃｍ−１以外でもピークが出現しているが、当該ピークはアセチルサリチル酸成分とは無関係の成分である。
【０１５５】
＜アセトアミノフェン成分のピーク＞
アセトアミノフェン濃度が異なる水溶液サンプルに対して７８５ｎｍの単一波長でなるレーザ光を照射し、当該水溶液サンプルそれぞれのラマンスペクトルを取得した。この取得結果の一部を図２１及び図２２に示す。なお、アセトアミノフェン濃度が異なる水溶液サンプルそれぞれのラマンスペクトルを取得する際のシステムの条件は同一としている。また、水溶液サンプルのアセトアミノフェン濃度は、上記グルコース濃度と同様に得ている。
図２１及び図２２に示す縦軸はスペクトルの強度[intensity]を示し、横軸は波数[ｃｍ−１]を示している。また、図２１及び図２２の右欄に示す“ｒｕｒｕ”はアセトアミノフェンを意味し、その“ｒｕｒｕ”の右側の数値[ｍｇ]は水溶液サンプル中のアセトアミノフェンの濃度（ｍｇ／ｄｌ）を意味している。
図２１及び図２２に示すように、アセトアミノフェン成分が水溶液サンプル中に含まれている場合、ラマンスペクトルの８５４ｃｍ−１及び１３２４ｃｍ−１で正確にピークが出現していることが分かった。また、ここでは図示しないが再現性もあることが分かっている。なお、図２１では８５４ｃｍ−１以外でもピークが出現するとともに図２２では１３２４ｃｍ−１以外でもピークが出現しているが、当該ピークはアセトアミノフェン成分とは無関係の成分である。
【０１５６】
＜アスコルビン酸成分のピーク＞
アスコルビン酸濃度が異なる水溶液サンプルに対して７８５ｎｍの単一波長でなるレーザ光を照射し、当該水溶液サンプルそれぞれのラマンスペクトルを取得した。この取得結果の一部を図２３及び図２４に示す。なお、アスコルビン酸濃度が異なる水溶液サンプルそれぞれのラマンスペクトルを取得する際のシステムの条件は同一としている。また、水溶液サンプルのアスコルビン酸濃度は、上記グルコース濃度と同様に得ている。
図２３及び図２４に示す縦軸はスペクトルの強度[intensity]を示し、横軸は波数[ｃｍ−１]を示している。また、図２３及び図２４の右欄に示す“ａｓｃｏ”はアスコルビン酸を意味し、その“ａｓｃｏ”の右側の数値[ｍｇ]は水溶液サンプル中のアスコルビン酸の濃度（ｍｇ／ｄｌ）を意味している。
図２３及び図２４に示すように、アスコルビン酸成分が水溶液サンプル中に含まれている場合、ラマンスペクトルの８２０ｃｍ−１及び１６８２ｃｍ−１で正確にピークが出現していることが分かった。また、ここでは図示しないが再現性もあることが分かっている。なお、図２３では８２０ｃｍ−１以外でもピークが出現するとともに図２４では１６８２ｃｍ−１以外でもピークが出現しているが、当該ピークはアスコルビン酸成分とは無関係の成分である。
【産業上の利用可能性】
【０１５７】
本発明は、医療産業などで利用可能性がある。
【符号の説明】
【０１５８】
１・・・成分分析システム、２・・・光源、３・・・リフレクタ、４・・・光学系、５・・・分光器、６・・・成分分析装置、６１・・・入力部、６２・・・記憶部、６３・・・表示部、６４・・・制御部、７１・・・スペクトル取得部、７２・・・換算部、７３，８３・・・成分識別部、７４，８４・・・定量部、７５，８５・・・通知部。
【図１】
2017173313.tif 000003
【図２】
2017173313.tif 000004
【図３】
2017173313.tif 000005
【図４】
2017173313.tif 000006
【図５】
2017173313.tif 000007
【図６】
2017173313.tif 000008
【図７】
2017173313.tif 000009
【図８】
2017173313.tif 000010
【図９】
2017173313.tif 000011
【図１０】
2017173313.tif 000012
【図１１】
2017173313.tif 000013
【図１２】
2017173313.tif 000014
【図１３】
2017173313.tif 000015
【図１４】
2017173313.tif 000016
【図１５】
2017173313.tif 000017
【図１６】
2017173313.tif 000018
【図１７】
2017173313.tif 000019
【図１８】
2017173313.tif 000020
【図１９】
2017173313.tif 000021
【図２０】
2017173313.tif 000022
【図２１】
2017173313.tif 000023
【図２２】
2017173313.tif 000024
【図２３】
2017173313.tif 000025
【図２４】
2017173313.tif 000026